(57)【要約】      （修正有）【課題】  入浴者に直接温風をあてることなく暖房機内部を冷却できる浴室暖房機を提供する。【解決手段】  カーボンランプヒータ５に通電すると同時に、モータ２３に作動信号を送り送風ファン２９を作動させる。送風ファン２９を作動させると第２の吸込口３０及び吸込口３ａ及び吸込口３ｂから浴室内の空気を吸い込むが、このとき、吸込口３ａから吸い込まれた空気は反射板７の上部を、吸込口３ｂから吸い込まれた空気は反射板７の背面の通風路１２を通って送風ファン２９に吸い込まれる。そして、カーボンランプヒータ５により発生した熱を冷却すると同時に、浴室暖房機１下部の吹出口２１から温風として吹出す。このとき制御部は、吹出口２１に設けられた風向可変板２７が浴室の壁面Ａにあたりながら壁面に沿って略鉛直方向に吹出すように可動し、壁面の乾燥を促進する。【選択図】  図６
2005106372.tif 000002
【特許請求の範囲】
【請求項１】
浴室内の空気を吸込む吸込口と、前記空気を送風する送風ファンと、該送風ファンから送られた空気を前記浴室内へ吹出す吹出口とからなり、前記吸込口および前記吹出口は前記送風ファンと通風路により連通されており、前記通風路は、前記吸込口と前記送風ファンとの間に配設された、輻射熱により浴室の暖房を行うための加熱機及び反射板とからなる加熱部の、前記反射板の裏面側を通って前記送風ファンへ連通するように形成され、前記吹出口は前記浴室の壁面の近傍位置に形成させると共に、前記吹出口から吹出す空気が前記浴室の壁面に沿って略平行に吹出すようにしたことを特徴とする浴室暖房機。
【請求項２】
前記吹出口に、前記浴室の天井面方向又は前記浴室の壁面方向へ風向を調整する風向案内板を備えたことを特徴とする請求項１に記載の浴室暖房機。
【請求項３】
浴室内の空気を吸込む第１の吸込口および第２の吸込口と、前記空気を送風する送風ファンと、該送風ファンから送られた空気を前記浴室内へ吹出す吹出口とからなり、前記第１の吸込口は第１の通風路、第２の吸込口は第２の通風路、前記吹出口は第３の通風路により、前記送風ファンとそれぞれ連通されており、前記第１の吸込口と前記送風ファンとの間には、輻射熱により浴室の暖房を行うための加熱機及び反射板とからなる第１の加熱部が配設され、前記第３の通風路には第２の加熱部が配設され、前記第１の通風路は前記反射板の裏面側を通って前記送風ファンへ連通するように形成させ、前記吹出口は前記浴室の壁面の近傍位置に形成させると共に、前記吹出口から吹出す空気が前記浴室の壁面に沿って略平行に吹出すようにしたことを特徴とする浴室暖房機。
【請求項４】
前記吹出口に、前記吹出口から吹出される空気の吹出方向が、前記第１の加熱部の作動時には浴室壁面に沿って略平行に、第２の加熱部作動時には前記浴室の中央方向へ変更可能な風向可動部を備えたことを特徴とする請求項３に記載の浴室暖房機。
【請求項５】
前記浴室暖房機は、前記第１の加熱部で浴室を部分的に加熱する輻射暖房モードおよび前記第２の加熱部で浴室全体を加熱する温風暖房モードの運転モードを備え、前記輻射暖房モードで運転するときは、前記第２の加熱部を作動させないことを特徴とする請求項３及至請求項４のいずれかに記載の浴室暖房機。
【請求項６】
前記反射板裏面近傍に温度検出手段を配設し、該温度検出手段の検出温度が前記浴室暖房機の内部を構成する樹脂の熱変形起点を定めた温度以上のとき、前記加熱部への通電を停止させることを特徴とする請求項１及至請求項５のいずれかに記載の浴室暖房機。
【発明の詳細な説明】
【技術分野】
【０００１】
本発明は、加熱装置として輻射熱を利用して浴室暖房を行う浴室暖房機に関する発明である。
【背景技術】
【０００２】
従来の浴室暖房機としては浴室の天井や壁面に設置した温風式の浴室暖房機が知られている。この温風式の浴室暖房機は、暖房機内部に備えられた送風機によって浴室内の空気を吸い込み、その吸い込んだ空気を加熱手段、たとえば電気ヒータで温めて再び浴室内へ温風として供給するものが知られている。
【０００３】
しかしこのような場合、入浴者が浴室に入る前段階としての室内事前暖房には好適であるが、入浴者が浴室に居る場合にはこの温風が直接入浴者の肌にあたり、体感温度を下げて快適感を損なってしまうという問題があった。
【０００４】
そこで近年では輻射熱を利用した浴室暖房機が知られている。この輻射式浴室暖房機は浴室内を臨む位置に遠赤外線式の電気ヒータ（例えば、カーボランプヒータ）を搭載して、反射板によって浴室内に居る入浴者に向けて輻射熱を供給するものである。しかしながらこの輻射熱を利用した浴室暖房機の場合、使用するカーボンランプヒータから発生する熱により反射板や暖房機内部を構成している樹脂が熱変形を起こし、浴室暖房機の機能や性能に悪影響を与える可能性があるという問題があった。
【０００５】
上記問題を解決するために、暖房機内部に備えた送風機により輻射熱で暖房している時には送風機を作動して機器内部を冷却するという方法が考えられる。（例えば、特許文献１参照。）。
【０００６】
しかし、この場合は輻射熱で暖房しているときは常に冷却用として送風機を作動し、しかもその冷却用の空気が浴室暖房機の前面から入浴者に向かって吹出す構成のため、入浴者に直接温風があたり、体感温度を下げてしまうという問題が残ったままとなる。
【０００７】
【特許文献１】特開２００３−２１３５０号公報（第２−３頁、第３図）
【発明の開示】
【発明が解決しようとする課題】
【０００８】
本発明は、上記問題を解決するためになされたもので、本発明の課題は、入浴者に直接温風をあてることなく暖房機内部を冷却できる浴室暖房機を提供することである。
【課題を解決するための手段】
【０００９】
上記目的を達成するために請求項１記載の発明のよれば、前記空気を送風する送風ファンと、、該送風ファンから送られた空気を前記浴室内へ吹出す吹出口とからなり、前記吸込口および前記吹出口は前記送風ファンと通風路により連通されており、前記通風路は、前記吸込口と前記送風ファンとの間に配設された、輻射熱により浴室の暖房を行うための加熱機及び反射板とからなる加熱部の、前記反射板の裏面側を通って前記送風ファン連通するように形成され、前記吹出口は前記浴室の壁面の近傍位置に形成させると共に、前記吹出口から吹出す空気が前記浴室の壁面に沿って略平行に吹出すようにしたことにより、冷却用の空気が直接入浴者にあたることなく、肌寒さを感じない快適な暖房運転を行うことを可能とした。
【００１０】
また、請求項２記載の発明のよれば、前記吹出口に、前記浴室の天井面方向又は前記浴室の壁面方向へ風向を調整する風向案内板を備えたことにより、冷却用の空気が直接入浴者にあたることなく、肌寒さを感じない快適な暖房運転が可能になるのに加え、浴室天井面あるいは壁面の乾燥を促進することを可能とした。
【００１１】
また、請求項３記載の発明のよれば、浴室内の空気を吸込む第１の吸込口および第２の吸込口と、前記空気を送風する送風ファンと、該送風ファンから送られた空気を前記浴室内へ吹出す吹出口とからなり、前記第１の吸込口は第１の通風路、第２の吸込口は第２の通風路、前記吹出口は第３の通風路で前記送風ファンとそれぞれ連通されており、前記第１の吸込口と前記送風ファンとの間には、輻射熱により浴室の暖房を行うための加熱機及び反射板とからなる第１の加熱部が配設され、前記第３の通風路には第２の加熱部が配設され、前記第１の通風路は前記反射板の裏面側を通って前記送風ファンへ連通するように形成させ、前記吹出口は前記浴室の壁面の近傍位置に形成させると共に、前記吹出口から吹出す空気が前記浴室の壁面に沿って略平行に吹出すようにしたので、請求項１同様に冷却用の空気が直接入浴者にあたることなく、肌寒さを感じない快適な暖房運転を行うことを可能とした。
【００１２】
また、請求項４記載の発明のよれば、前記吹出口に、前記吹出口から吹出される空気の吹出方向が、前記第１の加熱部の作動時には浴室壁面に沿って略平行に、第２の加熱部作動時には前記浴室の中央方向へ変更可能な風向可動部を備えたので、請求項２同様に冷却用の空気が直接入浴者にあたることなく、肌寒さを感じない快適な暖房運転が可能になるのに加え、浴室天井面あるいは壁面の乾燥を促進することを可能とした。
【００１３】
さらに、請求項５記載の発明のよれば、前記第１の加熱部で浴室を部分的に加熱する輻射暖房モードおよび前記第２の加熱部で浴室全体を加熱する温風暖房モードの運転モードを備え、前記輻射暖房モードで運転するときは、前記第２の加熱部を作動させないことにより、入浴前に浴室全体を暖房したり、入浴中の直接暖房と使用目的に応じた設定が自由にできる。例えば、入浴前には温風暖房モードで浴室全体を急速に暖房することで浴室に入った時の寒さを解消することができ、更に入浴中には輻射暖房モードで肌寒さを防止することができる。
【００１４】
また、請求項６記載の発明のよれば、前記反射板裏面近傍に温度検出手段を配設し、該温度検出手段の検出温度が前記浴室暖房機の内部を構成する樹脂の熱変形起点を定めた温度以上のとき、前記加熱部への通電を停止させるので、暖房機内部を構成している樹脂が熱変形を起こし、浴室暖房機の機能や性能に悪影響を与える前に確実に安全停止することができる。
【発明の効果】
【００１５】
本発明によれば、入浴者に直接温風をあてることなく暖房機内部を冷却でき、更に浴室内の天井面または壁面に付いた水滴を乾燥できるという効果がある。
【発明を実施するための最良の形態】
【００１６】
図１は、本発明の浴室暖房機を浴室に設置した実施例１を示す図である。
【００１７】
浴室暖房機１は浴室の壁Ａに設置され、前面には加熱機としてのカーボンランプヒータ５が長手方向に沿って２本並設され、カーボンランプヒータ５の背面から前面方向に沿って略湾曲状の反射板７を備える。なお反射板７の形状は、入浴者に直接輻射熱があたるように略湾曲状に設計されている。また、カーボンランプヒータ５の前面には、指侵入防止としての金属製の線材１１が複数並設されている。
【００１８】
さらに浴室暖房機１前面のカーボンランプヒータ５及び反射板７近傍の上部には、浴室内の空気を吸い込むための吸込口３ａ、下部には吸込口３ｂが略長方形で開口され、反射板７の長手方向に一列にそれぞれ複数個配設されている。また、さらに浴室暖房機１前面の上部には、吸込口３ａ、３ｂから吸込んだ空気を再び浴室の天井面に沿って吹出すための吹出口９を浴室暖房機１の天井側に近い、吹出した空気が天井面に沿って流出する位置に備えている。
【００１９】
図２は、本発明の実施例１に係る浴室暖房機の断面図である。
【００２０】
浴室暖房機１内部には、浴室暖房機１前面に設けられた吸込口３ａ、３ｂから浴室内の空気を吸い込み、吹出口９から再び浴室内に吹出すための送風ファン１３を備える。なお送風ファン１３は図示しないモータの駆動により作動する。また吹出口９には吹出した空気が浴室の天井面Ｂにあたり、その後天井面Ｂに沿うように略水平方向に吹出すように風向案内板１５が配設されている。
【００２１】
さらには反射板７の後方背面には温度検出手段としての温度センサ１９も備えられている。また、カーボンランプヒータ５及び前述した送風ファン１３の作動は図示しない制御部によってコントロールされる。
【００２２】
この構成において、図示せぬスイッチにより暖房運転時が指示されたとき、制御部でカーボンランプヒータ５に通電が開始されると同時に、送風ファン１３を作動させる。送風ファン１３を作動させることにより吸込口３ａ及び吸込口３ｂから浴室内の空気を吸い込むが、このとき、吸込口３ａから吸い込まれた空気は反射板７の上部を、吸込口３ｂから吸い込まれた空気は反射板７の裏面の通風路１２を通って送風ファン１３に吸い込まれる（図中矢印）。
【００２３】
このとき、カーボンランプヒータ５の作動で発生した反射板７裏面の浴室暖房機１内部に滞留する熱を、送風ファン１３で吸い込んだ空気を反射板７裏面を通過させることで冷却すると共に、浴室暖房機１上部の天井側に近い吹出口９から天井面に沿って温風として吹出し、人が存在する反射板７に対面する方向に吹出さないようになっている。
【００２４】
吹出口９から吹出された温風は、吹出口９に天井面方向へ傾斜させて配設された風向案内板１５により、天井面にあたりながら、天井面に沿って略水平方向に流出するように構成されている。
【００２５】
風向案内板１５は、制御部からの指示により壁面と水平位置を起点として壁面位置までの間で移動させることで、吹出し角度を変更する構成としてもよい。
【００２６】
以上の構成により、浴室暖房機１内部が冷却され、カーボンランプヒータから発生する熱による、反射板や暖房機内部を構成している樹脂が熱変形を起こすことを防止することができると共に、吹出された温風が浴室に居る暖房を所望する人に肌寒さ感を与えることから防止することができる。
【００２７】
また、濡れた天井面の乾燥を促進することができ、壁に発生する黴などを防止することができる。
【００２８】
図３は、本発明の実施例１に係る動作フローチャートを示す図である。
【００２９】
この輻射熱による暖房運転時の制御においては、暖房運転が開始すると送風ファン１３が作動し（ステップＳ１）、カーボンランプヒータ５がＯＮ（通電）する（ステップＳ２）。次に暖房運転停止の指示がない間（ステップＳ３）は、温度センサ１９による検出温度が所定温度ｔ１（例えば７０度）よりも低い場合はカーボンランプヒータ５の通電および送風ファン１３の作動を継続するが（ステップＳ４）、検出温度が所定温度ｔ１以上の場合には、図示せぬ制御部からの指令によりカーボンランプヒータ５への通電を停止する（ステップＳ５）。このとき送風ファン１３の作動は継続する。そして、送風ファン１３は、温度センサ１９の温度が所定温度ｔ２以下（例えば４０度）になるまで継続させる（ステップＳ６）、所定温度ｔ２以下になったら送風ファン１３が停止する（ステップＳ７）。このとき、使用者に異常を報知するように構成してもよい。
【００３０】
なお、ステップＳ３で運転停止指示があった場合には、カーボンランプヒータ５への通電を停止し（ステップＳ８）、送風ファン１３が停止して（ステップＳ７）、暖房運転が完了する。また、ステップＳ６では温度センサ１９の温度が所定温度ｔ２以下になるまで送風ファン１３を作動させたが、所定時間（例えば５分間）送風ファン１３を作動させる設定としてもよい。
【００３１】
また、カーボンランプヒータ５の通電および送風ファン１３の作動の制御については、暖房運転開始から温度センサ１９の検出温度が所定温度（例えば５０度）になるまでは送風ファン１３を作動させず、この所定温度を超えたら作動させるように設定してもよい。
【００３２】
図４は、別の実施形態を示す本発明の浴室暖房機を浴室に設置した実施例２を示す図である。なお、図１と同じ符号を付しているものは説明を省略する。
【００３３】
実施例１の図１と同様、浴室暖房機１は浴室の壁Ａに設置されている。実施例１と相違して、浴室暖房機１の下部で且つ壁面に近い位置に吹出口１７が設けられている。
【００３４】
吹出口１７は、実施例１と同様に内部に備えた送風ファン１３の作動により、吹出口１７よりも上部に形成された吸込口３ａ、３ｂから浴室内の空気を吸込み、通風路１２を通過して、吸い込まれた浴室の空気を壁面に沿って吹出すことになる。
【００３５】
吹出口１７には、風向案内板１５が配設されており、風向案内板１５を壁面方向へ傾斜させて、吹出口１７から吹出された空気が浴室の壁Ａにあたり、その後は壁面に沿って略鉛直方向に流出する（図中矢印方向）ように構成されている。
【００３６】
風向案内板１５は、制御部からの指示により壁面と水平位置を起点として壁面位置までの間で移動させることで、吹出し角度を変更する構成としてもよい。
【００３７】
なお、図４の構成においても図３で説明した同様の動作を行う。
【００３８】
以上の構成により、濡れた壁面の乾燥を促進することができ、壁に発生する黴などを防止することができる。
【００３９】
また、実施例１と同様に、浴室暖房機１内部が冷却され、カーボンランプヒータから発生する熱による、反射板や暖房機内部を構成している樹脂が熱変形を起こすことを防止することができると共に、吹出された温風が浴室に居る暖房を所望する人に肌寒さ感を与えることから防止することができる。
【００４０】
図５は、更に別の実施形態を示す本発明の浴室暖房機を浴室に設置した実施例３を示す図である。
【００４１】
浴室暖房機１は浴室の壁Ａに設置され、前面には加熱機としてのカーボンランプヒータ５が長手方向に沿って２本並設され、カーボンランプヒータ５の背面から前面方向に沿って略湾曲状の反射板７を備える。なお反射板７の形状は、入浴者に直接輻射熱があたるように略湾曲状に設計されている。また、カーボンランプヒータ５の前面には、指侵入防止としての金属製の線材１１が複数並設されている。
【００４２】
さらに前面には、第２の吸込口３０及び反射板７近傍の上部に第１の吸込口３ａ、下部に第１の吸込口３ｂがそれぞれ開口され、浴室内の空気を吸い込む。また、浴室暖房機１下部には、第２の吸込口３０及び第１の吸込口３ａ、３ｂから吸込んだ空気を吹出すための吹出口２１をも備えている。
【００４３】
図６は、本発明の実施例３に係る浴室暖房機の断面図である。
【００４４】
浴室暖房機１前面には、カーボンランプヒータ５が並設され、その背面から前面方向に湾曲して反射板７が形成されている。このカーボンランプヒータ５及び反射板７とで第１の加熱部を構成している。
【００４５】
さらに、浴室暖房機１内部には、浴室内の空気を吸込む第１の吸込口３ａ、３ｂおよび第２の吸込口３０と、空気を送風する送風ファン２９と、送風ファン２９から送られた空気を浴室内へ吹出す吹出口２１とが配設されている。
【００４６】
第１の吸込口３ａ、３ｂは第１の通風路１２ａ、第２の吸込口は第２の通風路１２ｂ、前記吹出口は第３の通風路１２ｃで前記送風ファン２９とそれぞれ連通されており、第１の吸込口３ａ、３ｂと送風ファン２９との間には、輻射熱により浴室の暖房を行うための加熱機であるカーボンヒータ５及び反射板７とからなる第１の加熱部が配設され、第３の通風路１２ｃには第２の加熱部である電気ヒータ２５が配設されている。
【００４７】
また、第１の通風路１２ａは、第１の吸込口３ａ、３ｂから反射板７の裏面側を通って前記送風ファン２９へ連通するように形成されている。
【００４８】
また、第１の吸込口３ａ、３ｂから浴室内の空気を吸い込み第１の通風路１２ａを通過した空気を、第３の通風路１２ｃを通過して、吹出口２１から再び浴室内に吹出すための送風ファン２９が第２の吸込口３０の対面する位置に配設され、送風ファン２９を作動するためモータ１３を備える。
【００４９】
吹出口２１には吹出した空気の吹出方向を自在に可変するための風向可変板２７が形成されている。また、反射板７の裏面の第１の通風路１２ａには温度検出手段としての温度センサ１９も備えられている。
【００５０】
なお、カーボンランプヒータ５、電気ヒータ２５、送風ファン２９及び風向可変板２７の作動は図示しない制御部によってコントロールされる。
【００５１】
上記構成とした本発明の浴室暖房機１は、運転モードとして、主に入浴前に事前暖房として浴室全体を加熱させて使用する温風暖房モード、主に入浴中の暖房として入浴中の人を直射的に暖房する使用する輻射暖房モード、衣類乾燥モード、送風モード等の目的別に運転させる複数のモードを備えている。
【００５２】
温風暖房モードは、図示しない温風暖房モードスイッチを押すことで、図示しない制御部から作動信号が発せられ、モータ２３が作動し送風ファン２９が回転すると共に第２の加熱部である電気ヒータ２５が作動される。
【００５３】
送風ファン２９の回転により、送風ファン２９は第１の吸込口３ａ、３ｂ及び下部の第２の吸込口３０から浴室内の空気を吸い込み、吸い込んだ空気は電気ヒータ２５によって加熱され、温風として吹出口２１から吹出される。
【００５４】
このとき、吹出口２１に設けられた風向可変板２７は、図示しない制御部の作動信号により、浴室内、好適には浴室の床面中央方向（図中矢印ａ方向）に吹出すように図示しないモータにより移動される。これにより、浴室内は電気ヒータ２５によって加熱された空気が浴室全体に充満し、快適な入浴前暖房を得ることができる。
【００５５】
一方、輻射暖房モードは、図示しない温風暖房モードスイッチを押すことで、図示しない制御部から作動信号が発せられ、第１の加熱部であるカーボンランプヒータ５に通電が開始されると同時に、モータ２３に作動信号を送り送風ファン２９を作動させる。このとき、電気ヒータ２５は作動しない。
【００５６】
送風ファン２９の回転により、送風ファン２９は第２の吸込口３０及び第１の吸込口３ａ及び吸込口３ｂから浴室内の空気を吸い込むが、このとき、第１の吸込口３ａから吸い込まれた空気は反射板７の上部を、第１の吸込口３ｂから吸い込まれた空気は反射板７の背面の通風路１２ａを通って送風ファン２９に吸い込まれる（図中矢印）。
【００５７】
これらの吸込口から吸い込まれた空気は、カーボンランプヒータ５により発生した熱を冷却すると同時に、浴室暖房機１下部の吹出口２１から温風として吹出され、吹出された空気は浴室壁面に沿って流出する。
【００５８】
このとき、吹出口２１に設けられた風向可変板２７は、図示しない制御部の作動信号により、壁面にあたりながら壁面に沿って略鉛直方向に吹出すよう（図中矢印ｂ方向）になるように図示しないモータにより移動される。
【００５９】
これにより、浴室内は強力な熱源を供給するカーボンランプヒータ５によって加熱された空気が入浴中の人に照射されることで充分な暖房を得ることができると共に、吹出口２１から吹出された温風が入浴中の人に直接当たらないため肌寒さ感を与えることもなく、快適な入浴をすることができる。
【００６０】
また、吹出口２１から吹出された空気を浴室壁面に沿って流出することにより、濡れた壁面の乾燥を促進することができ、壁に発生する黴などを防止することができる。
【００６１】
本発明においては、温風暖房モードと輻射暖房モードを設けることにより、入浴前に浴室全体を暖房したり、入浴中の直接暖房と使用目的に応じた設定が自由にできる。
【００６２】
例えば、入浴前には温風暖房モードで浴室全体を急速に暖房することで浴室に入った時の寒さを解消することができ、更に入浴中には輻射暖房モードで肌寒さを防止することができる。
【００６３】
なお、この輻射暖房モード運転時においては、図３で上述したときと同様に、温度センサ１９による検出温度が所定温度（例えば７０度）になるまではカーボンランプヒータ５の通電および送風ファン２９の作動を継続するが、検出温度が所定温度を超えた場合には、図示せぬ制御部からの指令によりカーボンランプヒータ５への通電を停止し、送風ファン２９の作動を継続する。
【００６４】
なお、本実施例においては、浴室暖房機１が浴室の壁に設置した場合について説明したが、浴室の天井に設置した場合においても同様の効果が得られる。
【図面の簡単な説明】
【００６５】
【図１】本発明の浴室暖房機を浴室に設置した例を示す図
【図２】本発明に係る一実施形態を示す浴室暖房機の断面図
【図３】本発明に係る浴室暖房機の動作フローチャート
【図４】本発明の別の実施形態における浴室暖房機を浴室に設置した例を示す図
【図５】本発明の更に別の実施形態における浴室暖房機を浴室に設置した例を示す図
【図６】本発明に係る他の実施形態を示す浴室暖房機の断面図
【符号の説明】
【００６６】
１…浴室暖房機
３ａ、３ｂ、３０…吸込口
５…カーボンランプヒータ
７…反射板
９、１７、２１…吹出口
１２、１２ａ、１２ｂ、１２ｃ…通風路
１３、２９…送風ファン
１９…温度センサ
２５…電気ヒータ
Ａ…浴室壁面
Ｂ…浴室天井面
【図１】
2005106372.tif 000003
【図２】
2005106372.tif 000004
【図３】
2005106372.tif 000005
【図４】
2005106372.tif 000006
【図５】
2005106372.tif 000007
【図６】
2005106372.tif 000008